(57)【特許請求の範囲】
【請求項１】
一対の封止シートと、
給電部を有し、前記一対の封止シートによって封止される面発光素子と、
被封止部および引出部を含み、前記被封止部は前記一対の封止シートの間に位置し、前記引出部は前記一対の封止シートの外部に位置する導電部材と、を備え、
前記面発光素子の外縁は、第１辺部と、第２辺部と、それらの間に位置する角部とを含み、
前記導電部材の前記被封止部は、
前記給電部上に配置され、前記給電部上において前記角部に近づく方向に延在し、かつ前記近づく方向における端部が前記角部に到達しないように位置している延在部と、
前記延在部と前記引出部とを接続する接続部と、を有し、
前記接続部の一部分は、当該一部分が前記延在部に接続している箇所を起点として前記角部から遠ざかる方向に延在しており、
前記導電部材は、基板に支持されており、且つ前記基板とともに配線部材を構成しており、
前記配線部材は、前記基板および前記導電部材のうちの前記導電部材のみが前記角部に重ならないように配置されており、
前記給電部は、陽極および陰極を有し、
前記配線部材の前記導電部材は、前記陽極に接続される部分と、前記陰極に接続される部分とを有し、
前記配線部材の前記基板は、前記陽極および前記陰極に跨るように配置されている、
面発光モジュール。
【請求項２】
一対の封止シートと、
給電部を有し、前記一対の封止シートによって封止される面発光素子と、
被封止部および引出部を含み、前記被封止部は前記一対の封止シートの間に位置し、前記引出部は前記一対の封止シートの外部に位置する導電部材と、を備え、
前記面発光素子の外縁は、第１辺部と、第２辺部と、それらの間に位置する角部とを含み、
前記導電部材の前記被封止部は、
前記給電部上に配置され、前記給電部上において前記角部に近づく方向に延在し、かつ前記近づく方向における端部が前記角部に到達しないように位置している延在部と、
前記延在部と前記引出部とを接続する接続部と、を有し、
前記接続部の一部分は、当該一部分が前記延在部に接続している箇所を起点として前記角部から遠ざかる方向に延在しており、
前記導電部材は、基板に支持されており、且つ前記基板とともに配線部材を構成しており、
前記配線部材は、前記基板および前記導電部材の双方が前記角部に重ならないように配置されており、
前記給電部は、陽極および陰極を有し、
前記配線部材の前記導電部材は、前記陽極に接続される部分と、前記陰極に接続される部分とを有し、
前記配線部材の前記基板は、前記陽極および前記陰極に跨るように配置されている、
面発光モジュール。
【請求項３】
前記一対の封止シート、前記面発光素子および前記配線部材は、いずれも可撓性を有している、
請求項１または２に記載の面発光モジュール。
【請求項４】
前記給電部は、前記面発光素子の外縁に沿って直線状に延びており、
前記引出部は、前記給電部に対して平行な方向に延びている、
請求項１から３のいずれか１項に記載の面発光モジュール。
【発明の詳細な説明】
【技術分野】
【０００１】
本発明は、面発光素子を封止するためのシートを備えた面発光モジュールに関する。
【背景技術】
【０００２】
面発光素子は、たとえば有機ＥＬなどの面状の光源から構成される。面発光素子を備えた面発光モジュールは、屋内および屋外の双方において、看板、標識、バックライト、照明、およびイルミネーションなどの多岐にわたった用途で用いられる。面発光素子は、塵、水分および酸素などに対して耐性が弱く、特に屋外での使用においては、ほこり、紫外線および風雨などから光源を保護することが求められる。
【０００３】
面発光素子においては、水分および酸素などから発光部分（有機発光層または発光素子など）を保護するために、発光部分の周囲が封止される。近年では、光源としての面発光素子そのものを、一対の封止シートの間に配置して、一対の封止シートでこの面発光素子を挟み込むようにして封止することにより、防塵性や防水性の向上を図るという技術が提案されている（たとえば特許文献１を参照）。
【０００４】
特許文献１（特開２０１０−２４４６９８号公報）に開示された面発光モジュールにおいては、一対の封止シートの間に、面発光素子および配線部材が配置されている。配線部材の一端は、一対の封止シートの間において面発光素子に接続されている。配線部材の他端は、一対の封止シートの端部の間から外側にはみ出るように外部に露出している。一対の封止シートは、一対の封止シートの端部の間に配線部材を配置した状態で（換言すると、一対の封止シートの端部の間に配線部材を介在させた状態で）、接着層により互いに接合されている。
【先行技術文献】
【特許文献】
【０００５】
【特許文献１】特開２０１０−２４４６９８号公報
【発明の概要】
【発明が解決しようとする課題】
【０００６】
有機ＥＬなどの面発光素子を一対の封止シートで挟み込むようにして封止（ラミネート）する場合、被封止物の厚みが厚くなるほど封止シート同士が剥がれやすくなり、封止性能を確保することが難しくなる傾向にある。本発明者らが鋭意検討した結果、一対の封止シートは、面発光素子の角部（コーナー部）を封止している部分の方が、面発光素子の辺部を封止している部分に比べて剥がれやすい傾向にあることが分かった。
【０００７】
本発明は、このような実情に鑑みてなされたものであって、面発光素子の角部を封止している部分において一対の封止シートが剥がれにくい構成を備えた面発光モジュールを提供することを目的とする。
【課題を解決するための手段】
【０００８】
面発光モジュールは、一対の封止シートと、給電部を有し、上記一対の封止シートによって封止される面発光素子と、被封止部および引出部を含み、上記被封止部は上記一対の封止シートの間に配置され、上記引出部は上記一対の封止シートの外部に位置する導電部材と、を備え、上記面発光素子の外縁は、第１辺部と、第２辺部と、それらの間に位置する角部とを含み、上記導電部材の上記被封止部は、上記給電部上に配置され、上記給電部上において上記角部に近づく方向に延在し、かつ上記近づく方向における端部が上記角部に到達しないように位置している延在部と、上記延在部と上記引出部とを接続する接続部と、を有し、上記接続部の一部分は、当該一部分が上記延在部に接続している箇所を起点として上記角部から遠ざかる方向に延在している。
【０００９】
好ましくは、上記導電部材は、基板に支持されており、且つ上記基板とともに配線部材を構成しており、上記配線部材は、上記基板および上記導電部材のうちの上記導電部材のみが上記角部に重ならないように配置されている。
【００１０】
上記導電部材は、基板に支持されており、且つ上記基板とともに配線部材を構成しており、上記配線部材は、上記基板および上記導電部材の双方が上記角部に重ならないように配置されている。
【００１１】
好ましくは、上記給電部は、陽極および陰極を有し、上記配線部材の上記導電部材は、上記陽極に接続される部分と、上記陰極に接続される部分とを有し、上記配線部材の上記基板は、上記陽極および上記陰極に跨るように配置されている。
【００１２】
好ましくは、上記一対の封止シート、上記面発光素子および上記配線部材は、いずれも可撓性を有している。
【００１３】
好ましくは、上記給電部は、上記面発光素子の外縁に沿って直線状に延びており、上記引出部は、上記給電部に対して平行な方向に延びている。
【発明の効果】
【００１４】
面発光素子と導電部材とを接続する際に、導電部材のうちの接続部は面発光素子の角部をかわすように配置される。面発光素子の角部の厚みを、他の部分よりも薄くすることが可能となり、面発光素子の角部を封止している部分において一対の封止シートが剥がれにくい構成を得ることができる。
【図面の簡単な説明】
【００１５】
【図１】実施の形態１における面発光モジュールを示す平面図である。
【図２】実施の形態１における面発光モジュールの角部の近傍を拡大して示す平面図である。
【図３】実施の形態１における面発光モジュールの分解した状態を示す平面図である。
【図４】図３中のＩＶ−ＩＶ線における矢視断面図である。
【図５】図２中のＶ−Ｖ線における矢視断面図である。
【図６】比較例における面発光モジュールの角部の近傍を拡大して示す平面図である。
【図７】図６中のＶＩＩ−ＶＩＩ線における矢視断面図である。
【図８】実施の形態２における面発光モジュールを示す平面図である。
【図９】実施の形態３における面発光モジュールを示す平面図である。
【図１０】実施の形態４における面発光モジュールを示す平面図である。
【図１１】実施の形態４における面発光モジュールの分解した状態を示す平面図である。
【図１２】実施の形態５における面発光モジュールを示す平面図である。
【図１３】実施の形態６における面発光モジュールを示す平面図である。
【図１４】実施の形態７における面発光モジュールを示す平面図である。
【図１５】図１４中のＶＸ−ＶＸ線における矢視断面図である。
【発明を実施するための形態】
【００１６】
各実施の形態について、以下、図面を参照しながら説明する。同一部品および相当部品には同一の参照番号を付し、重複する説明は繰り返さない場合がある。
【００１７】
［実施の形態１］
（面発光モジュール１００）
図１〜図５を参照して、実施の形態１における面発光モジュール１００について説明する。図１は、面発光モジュール１００を示す平面図であり、図２は、面発光モジュール１００の角部Ｋ２，Ｋ３の近傍を拡大して示す平面図である。図３は、面発光モジュール１００の分解した状態を示す平面図である。図４は、図３中のＩＶ−ＩＶ線における矢視断面図であり、図５は、図２中のＶ−Ｖ線における矢視断面図である。
【００１８】
図１〜図５に示すように、面発光モジュール１００は、面発光素子１０を一対の封止シート２１，２２で上下から挟み込むことによって封止した構成を備えており、照明、装飾およびバックライト等の様々な用途で用いられることができる。
【００１９】
具体的には、面発光モジュール１００は、面発光素子１０と、面発光素子１０を上下から挟み込む一対の封止シート２１，２２（図５参照）と、面発光素子１０および封止シート２１，２２を接合するための接着層２３（図５参照）と、面発光素子１０に給電するために面発光素子１０に電気接続された配線部材３０とを備える。以下、これらについて順に説明する。
【００２０】
（面発光素子１０）
図１〜図５（主として図３および図４）に示すように、面発光素子１０は、有機ＥＬから構成され、封止シート２１と封止シート２２との間に配置される。面発光素子１０の厚さは、たとえば５０μｍ〜２００μｍである。面発光素子１０は、可撓性を有していてもよいし、可撓性を有していなくてもよい。本実施の形態の面発光素子１０（図４参照）は、平面視（図３参照）で長方形の形状を有している。
【００２１】
面発光素子１０は、透明基板１１、バリア層１２、陽極１３、発光層１４、陰極１５、封止部材１６および絶縁層１７を含む。透明基板１１、バリア層１２、陽極１３、発光層１４、陰極１５および封止部材１６は、面発光素子１０の表面１０Ｓ（発光面）の側から面発光素子１０の裏面の側に向かって順に積層されている。
【００２２】
透明基板１１は、ガラス、薄膜ガラス、または樹脂フィルムなどから形成される。透明基板１１は、面発光素子１０の表面１０Ｓを形成する部材であり、平面視（図３参照）で長方形の形状を有している。バリア層１２は、透明性を有しており、透明基板１１の表面の全部を覆うように形成される。バリア層１２は、たとえば珪素酸化物や珪素窒化物等の珪素化合物、または金属酸化物や金属窒化物等の金属化合物、或いはそれらの混合物で構成される。
【００２３】
陽極１３は、透明性を有する導電膜であり、透明基板１１上にＩＴＯ等が成膜されることで形成される。陽極１３を形成するためのＩＴＯ膜は、給電部１８（陽極用）および給電部１９（陰極用）を形成するために、パターニングによって２つの領域に分割されている。給電部１９を構成しているＩＴＯ膜は、陰極１５に接続される。
【００２４】
発光層１４は、電力を供給されると、電界効果の作用により光を生成する。発光層１４は、単一または複数の層が積層されることによって構成される。陰極１５は、たとえばアルミニウム（ＡＬ）であり、発光層１４を覆うように形成される。絶縁層１７は、陰極１５と陽極１３との間に設けられる。陰極１５のうち、絶縁層１７（図３）が位置している側とは反対側の部分は、給電部１９を構成しているＩＴＯ膜に接続される。
【００２５】
封止部材１６は、ガラス、薄膜ガラス、または樹脂フィルムなどから構成される。封止部材１６は、陽極１３、発光層１４、および陰極１５の略全体を透明基板１１（バリア層１２）上に封止する。透明基板１１上に形成されたＩＴＯ膜の一部は、給電部１８，１９（電気接続が行われる箇所）を形成するために封止部材１６から露出している（図３，図４参照）。給電部１８，１９は、封止部材１６の外側に位置しており、封止部材１６（発光層１４）に対して互いに反対側に位置している。
【００２６】
上述の通り、面発光素子１０は、平面視（図３参照）で長方形の形状を有している。面発光素子１０を平面視したとき、面発光素子１０の外縁は、辺部Ｅ１，Ｅ２，Ｅ３，Ｅ４および角部Ｋ１，Ｋ２，Ｋ３，Ｋ４を含んでいる。角部Ｋ１は、辺部Ｅ１，Ｅ２（第１辺部，第２辺部）間に位置する。角部Ｋ２は、辺部Ｅ２，Ｅ３（第１辺部，第２辺部）間に位置する。角部Ｋ３は、辺部Ｅ３，Ｅ４（第１辺部，第２辺部）間に位置する。角部Ｋ４は、辺部Ｅ４，Ｅ１（第１辺部，第２辺部）間に位置する。
【００２７】
給電部１８は、面発光素子１０の外縁の一つである辺部Ｅ２に沿って直線状に延びており、平面視で長方形の形状を有している。給電部１９は、面発光素子１０の外縁の他の一つである辺部Ｅ４に沿って直線状に延びており、平面視で長方形の形状を有している。給電部１８，１９は、平行な方向に延びている。
【００２８】
以上のように構成される面発光素子１０においては、不図示の外部電源から配線部材３０（詳細は後述する）、給電部１８，１９、陽極１３および陰極１５を通して発光層１４へ給電される。発光層１４の中で光が生成される。光は、陽極１３、バリア層１２および透明基板１１を通過して面発光素子１０の表面１０Ｓから取り出される。
【００２９】
（封止シート２１，２２および接着層２３）
図３および図５を参照して、一対の封止シート２１および封止シート２２は、いずれも可撓性を有しており、接着層２３を用いて互いに接合されることによって面発光素子１０を封止する。封止シート２１，２２としては、たとえばシート形状またはフィルム形状を有する樹脂部材を用いることができる。
【００３０】
封止シート２１，２２の具体的な材質は、ＰＥＴ、ＰＰ、アクリル、ポリイミド、ポリサルフォン等である。封止シート２１，２２は、可撓性を有していてもよいし、可撓性を有していなくてもよい。封止シート２１，２２のうちの少なくとも封止シート２２は、面発光素子１０の表面１０Ｓから放射された光を通過させるため、光透過性を有している。
【００３１】
図３に示すように、封止シート２１，２２は、略同一の外形形状を有している。封止シート２１，２２の双方が、面発光素子１０の面積よりも広い長方形部分を有している。封止シート２２のこの長方形部分の上に、面発光素子１０が載置される。面発光素子１０には、配線部材３０が電気接続される。より特定的には、面発光素子１０の給電部１８，１９に、配線部材３０のうちの導体箔３０ｃ，３０ｂ（導電部材）がそれぞれ電気接続される。封止シート２１は、面発光素子１０および配線部材３０を覆うように配置される。
【００３２】
接着層２３を用いて、封止シート２１，２２が互いに接合される。真空貼り合わせ装置を用いて、面発光素子１０は真空状態の下で封止される。接着層２３としては、たとえば、熱可塑性樹脂、熱硬化性樹脂、および紫外線硬化樹脂等の種々の材料（厚さはたとえば２０ｕｍ〜５０ｕｍ）が用いられる。
【００３３】
面発光素子１０および配線部材３０が封止シート２１，２２に挟み込まれるようにこれらの間に配置された状態においては、面発光素子１０の全部が封止シート２１，２２の内側空間に封入される。配線部材３０の一部（被封止部３２）は、面発光素子１０とともに封止シート２１，２２の内側空間に封入される。一方で、配線部材３０の残部（引出部３１）は、封止シート２１，２２の周縁部２１Ｅ，２２Ｅ（図２参照）の間から外側にはみ出るように外部に露出する。
【００３４】
（配線部材３０）
配線部材３０は、基板３０ａおよび導体箔３０ｂを有している。導体箔３０ｂは、基板３０ａに支持されており、基板３０ａとともに配線部材３０を構成している。本実施の形態の配線部材３０（基板３０ａおよび導体箔３０ｂ）は、いわゆるＦＰＣ（Flexible  Printed  Circuits）である。配線部材３０は、ＦＰＣ以外の部材（たとえばリード線）で構成されていてもよく、配線部材３０の可撓性は、必要に応じて採用される構成である。面発光素子１０の給電部１８，１９は、図示しない導電性接着剤（ＡＣＦ：異方性導電膜など）を介して、配線部材３０の導体箔３０ｃ，３０ｂにそれぞれ電気接続される（図３参照）。
【００３５】
図１および図２に示すように、配線部材３０の一部が封止シート２１，２２によって封止された状態では（面発光モジュール１００の状態では）、配線部材３０は、一対の封止シート２１，２２の間に配置され、封止シート２１，２２によって封止される部分（被封止部３２）と、一対の封止シート２１，２２の外部に位置する部分（引出部３１）とに区別することができる。
【００３６】
本実施の形態の配線部材３０（基板３０ａ）は、給電部１８に接続される側（陽極）および給電部１９に接続される側（陰極）に跨るように配置されている。本実施の形態の配線部材３０は、給電部１８に接続される側と、給電部１９に接続される側とが、平面視で左右対称の形状を有しているため、ここでは配線部材３０のうちの給電部１９に接続される側（図１，図２中に示す配線部材３０の右半分）に着目してその説明を行うものとする。
【００３７】
すなわち、配線部材３０は、一対の封止シート２１，２２によって封止される被封止部３２と、一対の封止シート２１，２２の外部に位置する引出部３１とに区別することができる。この区別は、基板３０ａおよび導体箔３０ｂの双方に適用できるものであり、基板３０ａおよび導体箔３０ｂの双方が、一対の封止シート２１，２２の間に位置する被封止部３２と、一対の封止シート２１，２２の外部に位置する引出部３１とに区別することができる。
【００３８】
被封止部３２は、給電部１９上に配置される延在部３３と、延在部３３と引出部３１とを接続する接続部３４とを含んでいる。より特定的には、基板３０ａおよび導体箔３０ｂの双方が、給電部１９上に配置される延在部３３と、延在部３３と引出部３１とを接続する接続部３４とを含んでいる。図１中においては、被封止部３２（封止シート２１，２２に封止された部分）のうちの一点鎖線を用いて囲まれる２つの領域が、それぞれ延在部３３および接続部３４に相当している。
【００３９】
（延在部３３）
図２を参照して、延在部３３は、給電部１９上に配置され、給電部１９上において角部Ｋ３に近づく方向に延在している。さらに、延在部３３は、延在部３３のうちの角部Ｋ３に近づく方向における端部が、角部Ｋ３に到達しないように位置している。換言すると、延在部３３は、延在部３３のうちの角部Ｋ３に近づく方向に延在している部分の端部が角部Ｋ３に到達しないように形成され、かつその端部が角部Ｋ３に重ならないように配置されている。これらの特徴は、基板３０ａのうちの延在部３３を構成している部分と、導体箔３０ｂのうちの延在部３３を構成している部分との双方に共通している構成である。
【００４０】
具体的には、基板３０ａのうちの延在部３３を構成している部分については、点Ｑ１の位置から点Ｑ２，点Ｑ３の位置にまで、角部Ｋ３に近づく方向に延在している。点Ｑ１とは、基板３０ａが延在部３３を構成している部分のうち、もっとも角部Ｋ３から離れたところに位置する部分である。点Ｑ２，点Ｑ３の位置は、辺部Ｅ３から十分に離れており、角部Ｋ３の位置には到達していない。換言すると、点Ｑ１〜点Ｑ３によって囲まれる部分は、基板３０ａのうちの延在部３３に相当する部分を形成しており、この部分は、辺部Ｅ３（角部Ｋ３）に重なってもいないし、辺部Ｅ３に交差もしていない。
【００４１】
同様に、導体箔３０ｂのうちの延在部３３を構成している部分については、点Ｐ１の位置から点Ｐ２の位置に向かって、角部Ｋ３に近づく方向に延在している。点Ｐ１とは、導体箔３０ｂが延在部３３を構成している部分のうち、もっとも角部Ｋ３から離れたところに位置する部分である。点Ｐ２の位置は、辺部Ｅ３から十分に離れており、角部Ｋ３の位置には到達していない。換言すると、点Ｐ１，点Ｐ２の間の部分は、導体箔３０ｂのうちの延在部３３に相当する部分を形成しており、この部分は、辺部Ｅ３に重なってもいないし、辺部Ｅ３に交差もしていない。
【００４２】
（接続部３４）
接続部３４は、延在部３３と引出部３１との間に位置し、延在部３３と引出部３１とを接続する。接続部３４の一部分は、この一部分が延在部３３に接続している箇所を起点として、角部Ｋ３から遠ざかる方向に延在している。延在部３３および接続部３４の全体で見た場合、延在部３３は角部Ｋ３に接近するように延在しているものの、接続部３４は延在部３３の延在方向に対して外れる方向（それる方向）に延びている。すなわち、接続部３４は、角部Ｋ３をかわすように形成され、かつ角部Ｋ３をかわすように配置されている。これらの特徴は、基板３０ａのうちの接続部３４を構成している部分と、導体箔３０ｂのうちの接続部３４を構成している部分との双方に共通している構成である。
【００４３】
具体的には、基板３０ａのうちの接続部３４を構成している部分については、その一方の辺部分は、点Ｑ３の位置から点Ｑ４の位置にまで延在しており、さらに点Ｑ４の位置から点Ｑ７の位置にまで延在している。点Ｑ３から点Ｑ４に向かって延在する辺部分（接続部３４の一部分）は、点Ｑ３（接続部３４の一方の辺部分が延在部３３に接続している箇所）を起点として角部Ｋ３から遠ざかる方向に延在している。点Ｑ３と角部Ｋ３とを結ぶ方向を「近づく方向」とすると、ここでいう「遠ざかる方向」とはその近づく方向以外の方向のすべてを含む概念である。
【００４４】
同様に、基板３０ａのうちの接続部３４を構成している部分については、その他方の辺部分は、点Ｑ２の位置から点Ｑ５の位置にまで延在しており、さらに点Ｑ５の位置から点Ｑ６の位置にまで延在している。点Ｑ２から点Ｑ５に向かって延在する辺部分（接続部３４の一部分）は、点Ｑ２（接続部３４の他方の辺部分が延在部３３に接続している箇所）を起点として角部Ｋ３から遠ざかる方向に延在している。点Ｑ２と角部Ｋ３とを結ぶ方向を「近づく方向」とすると、ここでいう「遠ざかる方向」とはその近づく方向以外の方向のすべてを含む概念である。
【００４５】
したがって、接続部３４のうちの点Ｑ３，Ｑ４，Ｑ５，Ｑ２で囲まれる部分を接続部３４の一部分とすると、この一部分は、延在部３３に接続している箇所を起点として、角部Ｋ３から遠ざかる方向に延在している。そして接続部３４は、点Ｐ４，Ｑ６，Ｑ７の位置を介して、引出部３１に接続している。本実施の形態における配線部材３０は、点Ｑ４，Ｑ５，Ｑ６，Ｑ７から引出部３１にかけて、直線状に延びる形状を有しており、これらの部位は給電部１８，１９に対して平行な方向に延びている。
【００４６】
導体箔３０ｂについても同様に、導体箔３０ｂのうちの接続部３４を構成している部分については、点Ｐ２の位置から点Ｐ３の位置にまで延在しており、さらに点Ｐ３の位置から点Ｐ４の位置にまで延在している。点Ｐ２から点Ｐ３に向かって延在する辺部分（接続部３４の一部分）は、点Ｐ２（接続部３４の一部分が延在部３３に接続している箇所）を起点として角部Ｋ３から遠ざかる方向に延在している。点Ｐ２と角部Ｋ３とを結ぶ方向を「近づく方向」とすると、ここでいう「遠ざかる方向」とはその近づく方向以外の方向のすべてを含む概念である。
【００４７】
上述の通り、本実施の形態の配線部材３０は、給電部１８に接続される側と、給電部１９に接続される側とが、平面視で左右対称の形状を有している。以上おいて詳述した配線部材３０のうちの給電部１９に接続される側（図１，図２中に示す配線部材３０の右半分）の構成については、配線部材３０のうちの給電部１８に接続される側（図１，図２中に示す配線部材３０の左半分）の構成についても同一の内容が適用されるものである。
【００４８】
（作用および効果）
面発光素子１０と配線部材３０とを接続する際に、配線部材３０における一対の延在部３３は、面発光素子１０の給電部１８，１９に沿ってそれぞれ配置され、一対の延在部３３の延在方向の先には、角部Ｋ２，Ｋ３が位置している。一方で、配線部材３０のうちの接続部３４，３４は面発光素子１０の角部Ｋ２，Ｋ３をかわすように配置される。
【００４９】
一般的に、面発光素子などの被封止物を一対の封止シートにより封止する場合、被封止物の端部周辺には、被封止物の厚さに起因して、隙間が生じやすい。隙間が生じる原因は、封止シートは腰（硬さ）を有しているために、封止シートの変形が被封止物の段差に追従しきれないためである。隙間を有している状態で面発光モジュールを屋外等に設置（放置）すると、この隙間を起点にして封止の剥がれが発生する。特に、面発光素子の角部ではこの不具合が顕著に発生しやすい。面発光モジュールをＲ状に湾曲変形させて使用する場合にはこの不具合が特に起こりやすく、発光素子の封止性能を保つためにも、このような隙間はできるだけ小さくすることが必要となる。
【００５０】
本実施の形態の面発光モジュール１００の構成によれば、面発光素子１０の角部Ｋ２，Ｋ３の厚みを、他の部分（たとえば延在部３３が配置されている部分）よりも薄くすることが可能となり、一対の封止シート２１，２２が面発光素子１０の角部Ｋ２，Ｋ３を封止している部分において隙間が形成されにくいものとすることができる。冒頭で述べたように、一対の封止シートは、面発光素子の角部（コーナー部）を封止している部分の方が、面発光素子の辺部を封止している部分に比べて剥がれやすい傾向にある。
【００５１】
したがって、本実施の形態の面発光モジュール１００の構成によれば、面発光素子１０の角部Ｋ２，Ｋ３を封止している部分において一対の封止シート２１，２２が剥がれにくい構成を得ることができる。本実施の形態においては、角部Ｋ１，Ｋ２，Ｋ３，Ｋ４のすべてについて配線部材３０が重ならないように配置されているため、これらの４箇所において、一対の封止シート２１，２２が剥がれにくい構成を得ることができる。
【００５２】
一般的には、面発光モジュールなどをＲ状に湾曲変形させて配置した場合に、特に、面発光素子の角部（コーナー部）を封止している部分が剥がれやすくなる。本実施の形態においては、面発光素子１０の角部Ｋ１，Ｋ２，Ｋ３，Ｋ４を封止している部分において一対の封止シート２１，２２の端部同士を適切に接合でき、封止シート２１，２２による封止性能が得られる。面発光モジュールなどを湾曲変形させて配置する場合に、より効果を享受できるといえる。
【００５３】
また、面発光素子１０として有機ＥＬを用いた場合には、面発光素子１０の可撓性を活かして自由な曲面形状を形成することができるため、そのような構成を備えた面発光モジュール１００は、有機ＥＬの特徴を活かしていると言える。薄く封止性が良い面発光モジュール１００によれば、配置の自由度（フレキシブル性）の高いモジュールとすることができる。たとえば、柱などの曲がった表面への設置などのように、設置場所の自由度が向上したり、デザイン性が向上したりする。高い封止性によれば、屋外での使用にも対応したモジュールとすることができる。
【００５４】
［比較例］
図６および図７を参照して、比較例における面発光モジュール１０１について説明する。図６は、面発光モジュール１０１の角部Ｋ２，Ｋ３の近傍を拡大して示す平面図である。図７は、図６中のＶＩＩ−ＶＩＩ線における矢視断面図である。面発光モジュール１０１においては、２本の配線部材３０ｚが用いられ、これらは給電部１８および給電部１９にそれぞれ接続される。配線部材３０ｚは、いずれも直線状に延びる形状を有している。
【００５５】
配線部材３０ｚは、引出部３１および被封止部３２に区別することができ、被封止部３２は、延在部３３と接続部３４とを含んでいる。点Ｐ１，点Ｐ２の間に位置する延在部３３においては、給電部１９上に配置された延在部３３のうちの角部Ｋ３に近づく方向における端部（点Ｐ２）が、辺部Ｅ３に重なっている。点Ｐ２，点Ｐ３の間に位置する接続部３４は、延在部３３と同一直線上に位置しており、延在部３３の延在方向に対して外れる方向（それる方向）には延びていない。接続部３４は面発光素子１０の角部Ｋ２，Ｋ３をかわすように配置されてはいない。
【００５６】
図７（および図５）を参照して、面発光モジュール１０１の場合には、配線部材３０ｚの存在に起因して、面発光素子１０の角部Ｋ２，Ｋ３の厚みが上述の実施の形態１の場合に比べて厚くなる。したがって面発光モジュール１０１のような構成を採用した場合には、面発光素子１０の角部Ｋ２，Ｋ３を封止している部分において、一対の封止シート２１，２２が剥がれにくい構成を得ることは難しい。
【００５７】
［実施の形態２］
上述の実施の形態１の面発光モジュール１００においては、配線部材３０の全部が、すなわち基板３０ａおよび導体箔３０ｂの双方が、角部Ｋ２，Ｋ３に重ならないように配置されている。
【００５８】
図８を参照して、面発光モジュール１０２においては、基板３０ａおよび導体箔３０ｂ，３０ｃ（導電部材）のうちの導体箔３０ｂ，３０ｃのみが、角部Ｋ２，Ｋ３に重ならないように配置されている。つまり、基板３０ａおよび導体箔３０ｂ，３０ｃのうちの基板３０ａ（点Ｑ２）のみが、角部Ｋ２，Ｋ３に重なるように配置されている。当該構成によっても、導体箔３０ｂ，３０ｃが角部Ｋ２，Ｋ３をかわすように配置されていることによって、その分だけ、角部Ｋ２，Ｋ３において一対の封止シート２１，２２が剥がれにくくなる。
【００５９】
［実施の形態３］
図９を参照して、面発光モジュール１０３においては、配線部材３０がＨ型形状部を有しており、接続部３４が、延在部３３の延在方向における途中部分（点Ｐ３）に接続している。
【００６０】
延在部３３は、給電部１９上に配置され、給電部１９上において角部Ｋ３，Ｋ４に近づく方向に延在している。延在部３３のうちの角部Ｋ４に近づく方向における端部Ｐ１，Ｑ１は、角部Ｋ４に到達しないように位置している。延在部３３のうちの角部Ｋ３に近づく方向における端部Ｐ２，Ｑ２は、角部Ｋ３に到達しないように位置している。
【００６１】
接続部３４は、延在部３３と引出部３１との間に位置し、延在部３３と引出部３１とを接続する。接続部３４の一部分（点Ｐ３と点Ｐ４との間の部分）は、この一部分が延在部３３に接続している箇所（点Ｐ３）を起点として、角部Ｋ３から遠ざかる方向に延在している。延在部３３および接続部３４の全体で見た場合、延在部３３は角部Ｋ３に接近するように延在しているものの、接続部３４の一部分は延在部３３の延在方向に対して外れる方向（それる方向）に延びている。すなわち、接続部３４は、角部Ｋ３をかわすように形成され、かつ角部Ｋ３をかわすように配置されている。
【００６２】
面発光モジュール１０３においても、角部Ｋ１，Ｋ２，Ｋ３，Ｋ４のすべてについて配線部材３０が重ならないように配置されているため、これらの４箇所において、一対の封止シート２１，２２が剥がれにくい構成を得ることができる。
【００６３】
［実施の形態４］
図１０を参照して、面発光モジュール１０４においては、基板３０ａ（および引出部３１）が、給電部１８，１９に対して直交する方向に延在している。
【００６４】
給電部１８の側の被封止部３２については、延在部３３が、給電部１８上に配置され、給電部１８上において角部Ｋ１，Ｋ２に近づく方向に延在している。この延在部３３のうちの角部Ｋ１に近づく方向における端部Ｑ１，Ｒ１は、角部Ｋ１に到達しないように位置している。この延在部３３のうちの角部Ｋ２に近づく方向における端部Ｑ２，Ｒ２は、角部Ｋ２に到達しないように位置している。
【００６５】
給電部１８の側の接続部３４は、このような形状を有する延在部３３と引出部３１との間に位置し、延在部３３と引出部３１とを接続する。接続部３４の一部分（導体箔３０ｃについては点Ｒ２と点Ｒ３との間の部分）は、この一部分が延在部３３に接続している箇所（点Ｒ２）を起点として、角部Ｋ１，Ｋ２から遠ざかる方向に延在している。基板３０ａについてもこれと同様のことが言える。
【００６６】
給電部１８の側の延在部３３および接続部３４の全体で見た場合、延在部３３は角部Ｋ１，Ｋ２に接近するように延在しているものの、接続部３４は延在部３３の延在方向に対して直交する方向（それる方向）に延びている。すなわち、接続部３４は、角部Ｋ１，Ｋ２をかわすように形成され、かつ角部Ｋ１，Ｋ２をかわすように配置されている。
【００６７】
給電部１９の側の被封止部３２については、延在部３３が、給電部１９上に配置され、給電部１９上において角部Ｋ３，Ｋ４に近づく方向に延在している。この延在部３３のうちの角部Ｋ３に近づく方向における端部Ｐ１，Ｑ４は、角部Ｋ３に到達しないように位置している。この延在部３３のうちの角部Ｋ４に近づく方向における端部Ｐ２，Ｑ３は、角部Ｋ４に到達しないように位置している。
【００６８】
給電部１９の側の接続部３４は、このような形状を有する延在部３３と引出部３１との間に位置し、延在部３３と引出部３１とを接続する。接続部３４の一部分（導体箔３０ｂについては点Ｐ２と点Ｐ３との間の部分）は、この一部分が延在部３３に接続している箇所（点Ｐ２）を起点として、角部Ｋ３，Ｋ４から遠ざかる方向に延在している。基板３０ａについてもこれと同様のことが言える。
【００６９】
給電部１９の側の延在部３３および接続部３４の全体で見た場合、延在部３３は角部Ｋ３，Ｋ４に接近するように延在しているものの、接続部３４は延在部３３の延在方向に対して直交する方向（それる方向）に延びている。すなわち、接続部３４は、角部Ｋ３，Ｋ４をかわすように形成され、かつ角部Ｋ３，Ｋ４をかわすように配置されている。
【００７０】
面発光モジュール１０４においても、角部Ｋ１，Ｋ２，Ｋ３，Ｋ４のすべてについて配線部材３０が重ならないように配置されているため、これらの４箇所において、一対の封止シート２１，２２が剥がれにくい構成を得ることができる。
【００７１】
［実施の形態５］
図１１および図１２を参照して、面発光モジュール１０５においては、面発光素子１０の給電部１８，１９が、いずれも辺部Ｅ３に沿って延びるように形成されている。
【００７２】
配線部材３０における一対の延在部３３は、給電部１８，１９上それぞれに配置され、給電部１８上において角部Ｋ２，Ｋ３に近づく方向に延在している。この延在部３３，３３のうちの角部Ｋ３に近づく方向における端部Ｐ１，Ｐ２，Ｑ１，Ｑ２は、角部Ｋ３に到達しないように位置している。この延在部３３，３３のうちの角部Ｋ２に近づく方向における端部Ｐ３，Ｐ４，Ｑ３，Ｑ４は、角部Ｋ２に到達しないように位置している。このような延在部３３の構成は、基板３０ａおよび導体箔３０ｂ，３０ｃのいずれにも共通している。
【００７３】
接続部３４は、このような形状を有する延在部３３と引出部３１との間に位置し、延在部３３と引出部３１とを接続する。接続部３４の一部分（導体箔３０ｂについては点Ｐ３と点Ｐ５との間の部分、導体箔３０ｃについては点Ｐ２と点Ｐ６との間の部分）は、この一部分が延在部３３に接続している箇所（点Ｐ３，Ｐ２）を起点として、角部Ｋ２，Ｋ３から遠ざかる方向に延在している。基板３０ａについてもこれと同様のことが言える。
【００７４】
延在部３３および接続部３４の全体で見た場合、延在部３３の一部は角部Ｋ２，Ｋ３に接近するように延在しているものの、接続部３４は延在部３３の延在方向に対して直交する方向（それる方向）に延びている。すなわち、接続部３４は、角部Ｋ２，Ｋ３をかわすように形成され、かつ角部Ｋ２，Ｋ３をかわすように配置されている。
【００７５】
面発光モジュール１０５においても、角部Ｋ１，Ｋ２，Ｋ３，Ｋ４のすべてについて配線部材３０が重ならないように配置されているため、これらの４箇所において、一対の封止シート２１，２２が剥がれにくい構成を得ることができる。
【００７６】
［実施の形態６］
図１３を参照して、面発光モジュール１０６においては、配線部材３０がリード線から構成され、配線部材３０は、導体線３０ｅ（導電部材）と、被覆部３０ｆとを有している。一対の延在部３３は、給電部１８，１９（補助電極２８，２９）上にそれぞれ配置され、給電部１８上において角部Ｋ１，Ｋ２に近づく方向に延在し、給電部１９上において角部Ｋ４，Ｋ３に近づく方向に延在している。この延在部３３のうちの角部Ｋ１，Ｋ４に近づく方向における端部Ｑ１，Ｐ１は、角部Ｋ１，Ｋ４に到達しないように位置している。この延在部３３のうちの角部Ｋ２，Ｋ３に近づく方向における端部Ｑ２，Ｐ２は、角部Ｋ２，Ｋ３に到達しないように位置している。
【００７７】
一対の接続部３４は、このような形状を有する一対の延在部３３と引出部３１との間に位置し、一対の延在部３３と引出部３１とを接続する。接続部３４の一部分（点Ｐ２と点Ｐ３との間の部分、および点Ｑ２と点Ｑ３との間の部分）は、この一部分が延在部３３に接続している箇所（点Ｐ２，Ｑ２）を起点として、角部Ｋ２，Ｋ３からそれぞれ遠ざかる方向に延在している。
【００７８】
給電部１８の側の延在部３３および接続部３４の全体で見た場合、延在部３３は角部Ｋ２，Ｋ３に接近するように延在しているものの、接続部３４は延在部３３の延在方向に対して外れる方向（それる方向）に延びている。すなわち、接続部３４は、角部Ｋ２，Ｋ３をかわすように形成され、かつ角部Ｋ２，Ｋ３をかわすように配置されている。
【００７９】
面発光モジュール１０６においても、角部Ｋ１，Ｋ２，Ｋ３，Ｋ４のすべてについて配線部材３０が重ならないように配置されているため、これらの４箇所において、一対の封止シート２１，２２が剥がれにくい構成を得ることができる。
【００８０】
［実施の形態７］
図１４は、実施の形態７における面発光モジュール１０７を示す平面図であり、図１５は、図１４中のＶＸ−ＶＸ線に沿った矢視断面図である。面発光モジュール１０７は、面発光素子１０ａ〜１０ｆを備えており、これらは一対の封止シート２１，２２によって挟み込まれるようにして封止される。面発光素子１０ａ〜１０ｆは、図示しない配線部材３０によって直列または並列に接続され、給電される。
【００８１】
すなわち、実施の形態１〜６では、１枚の面発光素子を封止する構成に基づいて説明したが、本明細書で開示している思想は、面状に並べられた複数の面発光素子にも適用できるものである。本構成を用いることで、１枚の大面積パネルを作製するよりも安価に大面積の面状光源を構成することができる。面発光モジュール１０７においても、角部Ｋ１，Ｋ２，Ｋ３，Ｋ４のすべてについて配線部材３０が重ならないように配置されることで、これらの４箇所において、一対の封止シート２１，２２が剥がれにくい構成を得ることができる。
【００８２】
［他の変形例］
上述の各実施の形態においては、給電部１８および給電部１９の双方について、角部Ｋ１，Ｋ２，Ｋ３，Ｋ４を封止しやすいような構成を有している。この構成に限られず、たとえば給電部１８のみの側について、角部Ｋ１，Ｋ２を封止しやすいような構成を有していてもよい。もしくは、たとえば給電部１９のみの側について、角部Ｋ３，Ｋ４を封止しやすいような構成を有していてもよい。角部Ｋ１，Ｋ２，Ｋ３，Ｋ４のうちの１つについて、封止しやすいような構成を有していてもよい。封止しやすい構成を有している箇所において、封止性の改善が図れる。
【００８３】
封止性能を向上させることができるという面発光モジュール１００〜１０７の効果は、一般的に水分や酸素で劣化が早まりやすいと言われる有機ＥＬを面発光素子１０として用いる場合に、特に享受できるとも言える。上記のような思想は、面発光素子１０がトップエミッション型の有機ＥＬから構成される場合にも適用できるし、面発光素子１０がボトムエミッション型の有機ＥＬから構成される場合にも適用できる。上記のような思想は、面発光素子１０が無機ＥＬ素子から構成される場合にも適用できるし、面発光素子１０が複数の発光ダイオード（ＬＥＤ）およびこれら複数の発光ダイオードの出射面側に配置された拡散板（導光板）とから構成される場合にも適用できるし、面発光素子１０が冷陰極管等を用いて構成される場合にも適用できる。
【００８４】
以上、各実施の形態について説明したが、上記の開示内容はすべての点で例示であって制限的なものではない。本発明の技術的範囲は特許請求の範囲によって示され、特許請求の範囲と均等の意味および範囲内でのすべての変更が含まれることが意図される。
【符号の説明】
【００８５】
１０，１０ａ〜１０ｆ  面発光素子、１０Ｓ  表面、１１  透明基板、１２  バリア層、１３  陽極、１４  発光層、１５  陰極、１６  封止部材、１７  絶縁層、１８，１９  給電部、２１，２２  封止シート、２１Ｅ，２２Ｅ  周縁部、２３  接着層、２８，２９  補助電極、３０，３０ｚ  配線部材、３０ａ  基板、３０ｂ，３０ｃ  導体箔（導電部材）、３０ｅ  導体線（導電部材）、３０ｆ  被覆部、３１  引出部、３２  被封止部、３３  延在部、３４  接続部、１００，１０１，１０２，１０３，１０４，１０５，１０６，１０７  面発光モジュール、Ｅ１，Ｅ２，Ｅ３，Ｅ４  辺部、Ｋ１，Ｋ２，Ｋ３，Ｋ４  角部、Ｐ１，Ｐ２，Ｐ３，Ｐ４，Ｐ５，Ｐ６，Ｑ１，Ｑ２，Ｑ３，Ｑ４，Ｑ５，Ｑ６，Ｑ７，Ｒ１，Ｒ２，Ｒ３  点（端部）。
【図１】
0006520049.tif 000002
【図２】
0006520049.tif 000003
【図３】
0006520049.tif 000004
【図４】
0006520049.tif 000005
【図５】
0006520049.tif 000006
【図６】
0006520049.tif 000007
【図７】
0006520049.tif 000008
【図８】
0006520049.tif 000009
【図９】
0006520049.tif 000010
【図１０】
0006520049.tif 000011
【図１１】
0006520049.tif 000012
【図１２】
0006520049.tif 000013
【図１３】
0006520049.tif 000014
【図１４】
0006520049.tif 000015
【図１５】
0006520049.tif 000016